【手続補正書】
【提出日】平成29年5月1日(2017.5.1)
【手続補正１】
【補正対象書類名】特許請求の範囲
【補正対象項目名】全文
【補正方法】変更
【補正の内容】
【特許請求の範囲】
【請求項１】
モバイルデバイス上で複数加入者アイデンティティ/識別モジュール(SIM)機能性を管理する方法であって、
第1のSIMに関連付けられる第1のサブスクリプションを、前記モバイルデバイスの第1の無線周波数(RF)チェーン上においてデータトラフィック状態でアクティブに維持するステップと、
前記モバイルデバイスの第2のRFチェーン上で、第2のSIMに関連付けられる第2のサブスクリプション、第3のSIMに関連付けられる第3のサブスクリプション、および第4のSIMに関連付けられる第4のサブスクリプションの各々をスロッテッドアイドル状態でアクティブに維持するステップであって、前記スロッテッドアイドル状態では、前記第2のサブスクリプション、前記第3のサブスクリプション、および前記第4のサブスクリプションは、ページングチャネルスロットのうちのそれぞれのページングチャネルスロット内でページを監視するように構成される、ステップと、
前記第3のサブスクリプションおよび前記第4のサブスクリプションを前記第1のRFチェーンに切り替えることが、切替が発生することを許容される頻度または回数に関する限度に基づいて許容されるかどうかを判定するステップと、
前記第2のサブスクリプションが前記スロッテッドアイドル状態から抜けることに応答して、前記第3のサブスクリプションおよび前記第4のサブスクリプションを前記第1のRFチェーンに切り替え、前記第3のサブスクリプションおよび前記第4のサブスクリプションを前記第1のRFチェーンに切り替えることが前記限度に基づいて許容されると判定するステップであって、前記第1のRFチェーン上では、前記第3のサブスクリプションおよび前記第4のサブスクリプションが、前記第1のサブスクリプションのアクティブデータトラフィックの各期間の間にページ復調を交互に実行するように、前記第3のサブスクリプションおよび前記第4のサブスクリプションが、前記スロッテッドアイドル状態で動作し、前記第1のサブスクリプションが、チューンアウェイサポートを有する前記データトラフィック状態で動作する、ステップと
を含む、方法。
【請求項２】
前記第2のサブスクリプションが前記スロッテッドアイドル状態から抜けることは、前記第2のサブスクリプションがサービス停止状態、アクセス状態、音声トラフィック状態、またはチューンアウェイサポートを有しない連続データトラフィック状態のうちの1つに入ることを含む、請求項1に記載の方法。
【請求項３】
前記第1のサブスクリプションが、前記スロッテッドアイドル状態に入ることに応答して、前記第1のRFチェーン上で前記第1のサブスクリプション、前記第3のサブスクリプション、および前記第4のサブスクリプションの各々を前記スロッテッドアイドル状態でアクティブに維持するステップ
をさらに含む、請求項1に記載の方法。
【請求項４】
前記第3のサブスクリプションおよび前記第4のサブスクリプションが前記第1のRFチェーンに切り替えられることに応答して、前記第1のサブスクリプションを、チューンアウェイサポートを有する前記データトラフィック状態でアクティブに維持するステップをさらに含む、請求項1に記載の方法。
【請求項５】
前記第2のサブスクリプションが前記スロッテッドアイドル状態に戻ることに応答して、前記第1のサブスクリプション、前記第3のサブスクリプション、および前記第4のサブスクリプションのうちの少なくとも1つを前記第1のRFチェーンから前記第2のRFチェーンに切り替えるステップ
をさらに含む、請求項1に記載の方法。
【請求項６】
第1の無線周波数(RF)チェーンと、
第2のRFチェーンと、
第1の加入者アイデンティティ/識別モジュール(SIM)に関連付けられる第1のサブスクリプションを、前記第1のRFチェーン上においてデータトラフィック状態でアクティブに維持するための手段と、
前記第2のRFチェーン上で、第2のSIMに関連付けられる第2のサブスクリプション、第3のSIMに関連付けられる第3のサブスクリプション、および第4のSIMに関連付けられる第4のサブスクリプションの各々をスロッテッドアイドル状態でアクティブに維持するための手段であって、前記スロッテッドアイドル状態では、前記第2のサブスクリプション、前記第3のサブスクリプション、および前記第4のサブスクリプションは、ページングチャネルスロットのうちのそれぞれのページングチャネルスロット内でページを監視するように構成される、手段と、
前記第3のサブスクリプションおよび前記第4のサブスクリプションを前記第1のRFチェーンに切り替えることが、切替が発生することを許容される頻度または回数に関する限度に基づいて許容されるかどうかを判定するための手段と、
前記第2のサブスクリプションが前記スロッテッドアイドル状態から抜けることに応答して、前記第3のサブスクリプションおよび前記第4のサブスクリプションを前記第1のRFチェーンに切り替え、前記第3のサブスクリプションおよび前記第4のサブスクリプションを前記第1のRFチェーンに切り替えることが前記限度内であると判定するための手段であって、前記第1のRFチェーン上では、前記第3のサブスクリプションおよび前記第4のサブスクリプションが、前記第1のサブスクリプションのアクティブデータトラフィックの各期間の間にページ復調を交互に実行するように、前記第3のサブスクリプションおよび前記第4のサブスクリプションが、前記スロッテッドアイドル状態で動作し、前記第1のサブスクリプションが、チューンアウェイサポートを有する前記データトラフィック状態で動作する、手段と
を含むモバイルデバイス。
【請求項７】
前記第2のサブスクリプションが前記スロッテッドアイドル状態から抜けることは、前記第2のサブスクリプションがサービス停止状態、アクセス状態、音声トラフィック状態、またはチューンアウェイサポートを有しない連続データトラフィック状態のうちの1つに入ることを含む、請求項6に記載のモバイルデバイス。
【請求項８】
複数加入者アイデンティティ/識別モジュール(SIM)モバイルデバイスのプロセッサに、
第1の加入者アイデンティティ/識別モジュール(SIM)に関連付けられる第1のサブスクリプションを、モバイルデバイスの第1の無線周波数(RF)チェーン上においてデータトラフィック状態でアクティブに維持する動作と、
前記モバイルデバイスの第2のRFチェーン上で、第2のSIMに関連付けられる第2のサブスクリプション、第3のSIMに関連付けられる第3のサブスクリプション、および第4のSIMに関連付けられる第4のサブスクリプションの各々をスロッテッドアイドル状態でアクティブに維持する動作であって、前記スロッテッドアイドル状態では、前記第2のサブスクリプション、前記第3のサブスクリプション、および前記第4のサブスクリプションは、ページングチャネルスロットのうちのそれぞれのページングチャネルスロット内でページを監視するように構成される、動作と、
前記第3のサブスクリプションおよび前記第4のサブスクリプションを前記第1のRFチェーンに切り替えることが、切替が発生することを許容される頻度または回数に関する限度に基づいて許容されるかどうかを判定する動作と、
前記第2のサブスクリプションが前記スロッテッドアイドル状態から抜けることに応答して、前記第3のサブスクリプションおよび前記第4のサブスクリプションを前記第1のRFチェーンに切り替え、前記第3のサブスクリプションおよび前記第4のサブスクリプションを前記第1のRFチェーンに切り替えることが前記限度内であると判定する動作であって、前記第1のRFチェーン上では、前記第3のサブスクリプションおよび前記第4のサブスクリプションが、前記第1のサブスクリプションのアクティブデータトラフィックの各期間の間にページ復調を交互に実行するように、前記第3のサブスクリプションおよび前記第4のサブスクリプションが、前記スロッテッドアイドル状態で動作し、前記第1のサブスクリプションが、チューンアウェイサポートを有する前記データトラフィック状態で動作する、動作と
を実行させるように構成されたプロセッサ実行可能命令をその上に記憶された非一時的プロセッサ可読媒体。
【請求項９】
モバイルデバイス上で複数加入者アイデンティティ/識別モジュール(SIM)機能性を管理する方法であって、
第1のSIMに関連付けられる第1のサブスクリプションを、前記モバイルデバイスの第1の無線周波数(RF)チェーン上において第1のデータトラフィック状態でアクティブに維持するステップであって、前記第1のデータトラフィック状態は、チューンアウェイサポートを伴って動作する、ステップと、
第2のSIMに関連付けられる第2のサブスクリプションを、前記モバイルデバイスの第2のRFチェーン上で第2のデータトラフィック状態でアクティブに維持するステップであって、前記第2のデータトラフィック状態は、チューンアウェイサポートを伴って動作する、ステップと、
前記モバイルデバイスの前記第2のRFチェーン上で、第3のSIMに関連付けられる第3のサブスクリプションおよび第4のSIMに関連付けられる第4のサブスクリプションの各々をスロッテッドアイドル状態でアクティブに維持するステップであって、前記スロッテッドアイドル状態では、前記第3のサブスクリプションおよび前記第4のサブスクリプションは、ページングチャネルスロットのうちのそれぞれのページングチャネルスロット内でページを監視するように構成される、ステップと、
前記第1のサブスクリプションの第1のスループットデータレートが前記第2のサブスクリプションの第2のスループットデータレートより低いことに応答して、前記第3のサブスクリプションおよび前記第4のサブスクリプションを前記第1のRFチェーンに切り替えるステップと
を含む、方法。
【請求項１０】
前記第1のRFチェーン上で、前記第3のサブスクリプションおよび前記第4のサブスクリプションを前記スロッテッドアイドル状態でアクティブに維持し、前記第1のサブスクリプションを、チューンアウェイサポートを有する前記第1のデータトラフィック状態でアクティブに維持するステップ
をさらに含む、請求項9に記載の方法。
【請求項１１】
前記第1のスループットデータレートおよび前記第2のスループットデータレートのうちの少なくとも1つを判定するステップ
をさらに含む、請求項9に記載の方法。
【請求項１２】
前記第2のサブスクリプションが前記第2のデータトラフィック状態から抜けることに応答して、前記第3のサブスクリプションおよび前記第4のサブスクリプションのうちの少なくとも1つを前記第2のRFチェーンに切り替えるステップ
をさらに含む、請求項9に記載の方法。
【請求項１３】
前記第1のスループットデータレートおよび前記第2のスループットデータレートのうちの少なくとも1つが変化し、これによって前記第1のスループットデータレートが前記第2のスループットデータレートを超えることに応答して、前記第3のサブスクリプションおよび前記第4のサブスクリプションを前記第2のRFチェーンに切り替えるステップ
をさらに含む、請求項9に記載の方法。
【請求項１４】
第1の無線周波数(RF)チェーンと、
第2のRFチェーンと、
第1の加入者アイデンティティ/識別モジュール(SIM)に関連付けられる第1のサブスクリプションを、前記第1のRFチェーン上において第1のデータトラフィック状態でアクティブに維持するための手段であって、前記第1のデータトラフィック状態は、チューンアウェイサポートを伴って動作する、手段と、
第2のSIMに関連付けられる第2のサブスクリプションを、前記第2のRFチェーン上で第2のデータトラフィック状態でアクティブに維持するための手段であって、前記第2のデータトラフィック状態は、チューンアウェイサポートを伴って動作する、手段と、
モバイルデバイスの前記第2のRFチェーン上で、第3のSIMに関連付けられる第3のサブスクリプションおよび第4のSIMに関連付けられる第4のサブスクリプションの各々をスロッテッドアイドル状態でアクティブに維持するための手段であって、前記スロッテッドアイドル状態では、前記第3のサブスクリプションおよび前記第4のサブスクリプションは、ページングチャネルスロットのうちのそれぞれのページングチャネルスロット内でページを監視するように構成される、手段と、
前記第1のサブスクリプションの第1のスループットデータレートが前記第2のサブスクリプションの第2のスループットデータレートより低いことに応答して、前記第3のサブスクリプションおよび前記第4のサブスクリプションを前記第1のRFチェーンに切り替えるための手段と
を含むモバイルデバイス。
【請求項１５】
複数加入者アイデンティティ/識別モジュール(SIM)モバイルデバイスのプロセッサに、
第1のSIMに関連付けられる第1のサブスクリプションを、前記モバイルデバイスの第1の無線周波数(RF)チェーン上において第1のデータトラフィック状態でアクティブに維持する動作であって、前記第1のデータトラフィック状態は、チューンアウェイサポートを伴って動作する、動作と、
第2のSIMに関連付けられる第2のサブスクリプションを、前記モバイルデバイスの第2のRFチェーン上で第2のデータトラフィック状態でアクティブに維持する動作であって、前記第2のデータトラフィック状態は、チューンアウェイサポートを伴って動作する、動作と、
前記モバイルデバイスの前記第2のRFチェーン上で、第3のSIMに関連付けられる第3のサブスクリプションおよび第4のSIMに関連付けられる第4のサブスクリプションの各々をスロッテッドアイドル状態でアクティブに維持する動作であって、前記スロッテッドアイドル状態では、前記第3のサブスクリプションおよび前記第4のサブスクリプションは、ページングチャネルスロットのうちのそれぞれのページングチャネルスロット内でページを監視するように構成される、動作と、
前記第1のサブスクリプションの第1のスループットデータレートが前記第2のサブスクリプションの第2のスループットデータレートより低いことに応答して、前記第3のサブスクリプションおよび前記第4のサブスクリプションを前記第1のRFチェーンに切り替える動作と
を実行させるように構成されたプロセッサ実行可能命令をその上に記憶された非一時的プロセッサ可読記録媒体。